【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
入力画像の画像信号に基づいて前記入力画像のシーン切り替えを検出するシーンチェンジ検出手段と、
前記シーンチェンジ検出手段での検出結果に基づき、シーン切り替え後の画像表示位置をシーン切り替え前の画像表示位置と異なる位置に設定する表示位置制御手段と、
前記表示位置制御手段で設定された位置に、前記シーン切り替え後の画像を表示させると共に、前記シーン切り替え前の画像を合わせて表示させる表示制御手段とを有する
ことを特徴とする画像処理装置。
【請求項２】
前記シーン切り替え前の画像は、静止画である
ことを特徴とする請求項１記載の画像処理装置。
【請求項３】
前記表示制御手段では、前記静止画として前記シーン切り替え前の複数シーンの画像を表示するものとし、
前記表示位置制御手段は、前記シーン切り替え後の画像と前記複数の静止画とのと差分を検出して、該差分の最も小さい静止画の画像表示位置を前記シーン切り替え後の画像表示位置に設定する
ことを特徴とする請求項２記載の画像処理装置。
【請求項４】
前記表示位置制御手段は、シーン間の相関値を算出する相関値算出手段と、
前記相関値に基づいて関連するシーンを判別する関連シーン判別手段とを有し、
前記シーン切り替え後の画像表示位置を、関連するシーンの画像表示位置に設定する
ことを特徴とする請求項１記載の画像処理装置。
【請求項５】
前記画像信号に基づいて前記入力画像の動きを検出する動き検出手段を設け、
前記表示位置手段では、前記静止画が表示されていない表示領域にシーン切り替え後の最初の画像の画像表示位置を設定すると共に、その後前記動き検出手段での動き検出結果に基づいて画像表示位置を移動させる
ことを特徴とする請求項２記載の画像処理装置。
【請求項６】
前記表示位置手段では、前記静止画が表示されていない表示領域の中央に、前記シーン切り替え後の最初の画像の画像表示位置を設定する
ことを特徴とする請求項５記載の画像処理装置。
【請求項７】
前記表示位置制御手段は、
前記動き検出結果をシーン内で累積する動き累積手段と、
前記静止画が表示されていない表示領域の大きさを判別する領域判別手段を有し、
前記シーン切り替え後の最初の画像の画像表示位置は、前記動き累積手段で得られた動き累積結果と前記領域判別手段で得られた領域判別結果に基づいて設定する
ことを特徴とする請求項５記載の画像処理装置。
【請求項８】
前記表示位置制御手段は、
前記シーン切り替え後の画像の画像表示位置を前記動き検出結果に基づいて移動させたとき、前記静止画が表示されていない表示領域を前記入力画像が越えてしまうと前記動き累積結果と前記領域判別結果に基づいて判別されたとき、前記入力画像が前記静止画が表示されていない表示領域を超えないように、画像表示位置の移動を補正する移動補正手段を有する
ことを特徴とする請求項７記載の画像処理装置。
【請求項９】
入力画像の画像信号に基づいて前記入力画像のシーン切り替えを検出し、
前記シーン切り替えの検出結果に基づき、シーン切り替え後の画像表示位置をシーン切り替え前の画像表示位置と異なる位置に設定し、
前記設定された位置に、前記シーン切り替え後の画像を表示させると共に、前記シーン切り替え前の画像を合わせて表示させる
ことを特徴とする画像処理方法。
【請求項１０】
前記シーン切り替え前の画像は、静止画である
ことを特徴とする請求項９記載の画像処理方法。
【請求項１１】
前記静止画として、前記シーン切り替え前の複数シーンの画像を表示するものとし、
前記シーン切り替え後の画像と前記複数の静止画とのと差分を検出して、該差分の最も小さい静止画の画像表示位置を前記シーン切り替え後の画像表示位置に設定する
ことを特徴とする請求項１０記載の画像処理方法。
【請求項１２】
シーン間の相関値を算出し、
前記相関値に基づいて関連するシーンを判別し、
前記シーン切り替え後の画像表示位置を、関連するシーンの画像表示位置に設定する
ことを特徴とする請求項９記載の画像処理方法。
【請求項１３】
前記画像信号に基づいて前記入力画像の動きを検出し、
前記静止画が表示されていない表示領域にシーン切り替え後の最初の画像の画像表示位置を設定すると共に、その後前記動き検出結果に基づいて画像表示位置を移動させる
ことを特徴とする請求項１０記載の画像処理方法。
【請求項１４】
前記静止画が表示されていない表示領域の中央に、前記シーン切り替え後の最初の画像の画像表示位置を設定する
ことを特徴とする請求項１３記載の画像処理方法。
【請求項１５】
前記シーン切り替え後の最初の画像の画像表示位置は、前記動き検出結果をシーン内で累積した動き累積結果と、前記静止画が表示されていない表示領域の大きさを判別した領域判別結果に基づいて設定する
ことを特徴とする請求項１３記載の画像処理方法。
【請求項１６】
前記シーン切り替え後の画像の画像表示位置を前記動き検出結果に基づいて移動させたとき、前記静止画が表示されていない表示領域を前記入力画像が越えてしまうと前記動き累積結果と前記領域判別結果に基づいて判別されたとき、前記入力画像が前記静止画が表示されていない表示領域を越えないように、画像表示位置の移動を補正する
ことを特徴とする請求項１５記載の画像処理方法。
【請求項１７】
コンピュータに、
入力画像の画像信号に基づいて前記入力画像のシーン切り替えを検出する手順と、
前記シーン切り替えの検出結果に基づき、シーン切り替え後の画像表示位置をシーン切り替え前の画像表示位置と異なる位置に設定する手順と、
前記設定された位置に、前記シーン切り替え後の画像を表示させると共に、前記シーン切り替え前の画像を合わせて表示させる手順を
実行させることを特徴とする画像処理プログラム。
【手続補正２】
【補正対象書類名】明細書
【補正対象項目名】０００７
【補正方法】変更
【補正の内容】
【０００７】
【課題を解決するための手段】
この発明に係る画像処理装置は、入力画像の画像信号に基づいて前記入力画像のシーン切り替えを検出するシーンチェンジ検出手段と、前記シーンチェンジ検出手段での検出結果に基づき、シーン切り替え後の画像表示位置をシーン切り替え前の画像表示位置と異なる位置に設定する表示位置制御手段と、前記表示位置制御手段で設定された位置に、前記シーン切り替え後の画像を表示させると共に、前記シーン切り替え前の画像を合わせて表示させる表示制御手段とを有するものである。
【手続補正３】
【補正対象書類名】明細書
【補正対象項目名】０００８
【補正方法】変更
【補正の内容】
【０００８】
また、画像処理方法は、入力画像の画像信号に基づいて前記入力画像のシーン切り替えを検出し、前記シーン切り替えの検出結果に基づき、シーン切り替え後の画像表示位置をシーン切り替え前の画像表示位置と異なる位置に設定し、前記設定された位置に、前記シーン切り替え後の画像を表示させると共に、前記シーン切り替え前の画像を合わせて表示させるものである。
【手続補正４】
【補正対象書類名】明細書
【補正対象項目名】０００９
【補正方法】変更
【補正の内容】
【０００９】
また、画像処理プログラムは、コンピュータに、入力画像の画像信号に基づいて前記入力画像のシーン切り替えを検出する手順と、前記シーン切り替えの検出結果に基づき、シーン切り替え後の画像表示位置をシーン切り替え前の画像表示位置と異なる位置に設定する手順と、前記設定された位置に、前記シーン切り替え後の画像を表示させると共に、前記シーン切り替え前の画像を合わせて表示させる手順を実行させるものである。
【手続補正５】
【補正対象書類名】明細書
【補正対象項目名】００９７
【補正方法】変更
【補正の内容】
【００９７】
例えば図２０Ｂに示すように、現シーンの先頭フレームの画像ＧＮ-sと最終フレームの画像ＧＮ-e間の画像ＧＮ-kが、画像ＧＰとは逆方向に最も移動する場合、この画像ＧＮ-kが表示領域ＡＷnを越えないように初期表示位置ＰＳを設定する。また、図２０Ｃに示すように、最終フレームの画像ＧＮ-eが、画像ＧＰとは逆方向に最も移動する場合、この画像ＧＮ-eが表示領域ＡＷnを越えないように初期表示位置ＰＳを設定する。また、図２０Ｄに示すように、画像の表示位置が画像ＧＰの方向に移動する場合、最終フレームの画像ＧＮ-eが、画像ＧＰとは逆方向に最も移動する場合、次シーンに対する表示領域ＡＷ(n+1)が最大となるように、先頭フレームの画像ＧＮ-sを画像ＧＰとは逆方向に最も移動した位置とする初期表示位置ＰＳを設定する。
【手続補正６】
【補正対象書類名】図面
【補正対象項目名】図９
【補正方法】変更
【補正の内容】
【図９】
2004015549.tif 000001
【手続補正７】
【補正対象書類名】図面
【補正対象項目名】図２９
【補正方法】変更
【補正の内容】
【図２９】
2004015549.tif 000002